(57)【特許請求の範囲】
【請求項１】
払拭面を払拭可能なる長尺状のリフィルと、該リフィルの保持部に係合した状態で保持可能に形成され且つ該リフィルに弾性を付与する第１バーティブラと、該第１バーティブラの下側に重合され且つ前記払拭面の大きな曲率面の曲率止まり位置に端部が形成されてなる第２バーティブラと、前記リフィルを払拭駆動可能なる駆動部材と、前記駆動部材及び前記第１バーティブラを連結した連結部材とを少なくとも備えてなるワイパーであって、
前記第２バーティブラの端部より非重合状態で延在されてなる前記第１バーティブラの押圧部は、前記払拭面の大きな曲率面に追従可能なるように折り曲げ形成されてなり、
前記第１バーティブラの一般部には、切り欠きに架橋した第１係合部が形成されてなり且つ該第１バーティブラの端部には、切り欠きに架橋した第２係合部が形成されてなり、
前記第２バーティブラには、前記第１バーティブラの第１係合部の切り欠きを介して上側に係合可能な第３係合部が形成されてなり且つ該第１バーティブラの第２係合部の切り欠きを介して上側に係合可能な第４係合部が形成されてなり、
前記第１バーティブラの第１係合部の上側に第２バーティブラの第３係合部を係合させ且つ第１バーティブラの第２係合部に第２バーティブラの第４係合部を係止させてなることを特徴とするワイパー。
【請求項２】
請求項１に記載のワイパーであって、
前記第１バーティブラには、前記リフィルの保持部を保持可能なる爪が長尺方向に断続的に形成されてなり、前記リフィルには、該爪に長尺方向の端部から係合可能なる溝部が形成されてなることを特徴とするワイパー。
【発明の詳細な説明】
【０００１】
【発明の属する技術分野】
この発明は、自動車、航空機、船舶などの乗り物のフロントウインドパネルなど一方向がほぼ直線状で他方向が曲面状に形成されてなるパネルに付着した雨水やゴミを確実に払拭することが可能なるワイパー、特にレバーのないワイパーの構造に関する。
【０００２】
【従来の技術】
従来のレバーのないワイパーとしては、例えば、上下方向がほぼ直線状で、左右方向が曲面状に形成されてなるフロントウインドパネルなどの払拭部材の払拭面を払拭可能なる払拭部を有するリフィルと、該リフィルの保持部を係合した状態で保持可能に形成され且つ該リフィルに弾性を付与するバーティブラと、前記リフィルを払拭駆動可能なるモータ、駆動軸、スプリングなどの駆動部材と、該駆動部材及び前記バーティブラを連結した連結部材とを少なくとも備えてなる。
【０００３】
前記バーティブラは、前記払拭面の曲率よりも大きな曲率で形成されてなり、前記駆動部材で前記払拭部材側にリフィルを押圧すると、レバーがないにも関わらず、払拭部材の払拭面にリフィルの払拭部が密接して、払拭面の払拭を可能としている。
【０００４】
【発明が解決しようとする課題】
しかしながら、かかるワイパーにあっては、前記払拭面の端部の曲率が、前記バーティブラの曲率より大きい場合、前記リフィルの払拭部の端部が浮き上がってしまい、拭き残し部分が形成されてしまうおそれがある。また、前記払拭面の曲率が、前記バーティブラの曲率より極端に小さい、ほぼ直線状に近い場合、前記リフィルの払拭部の一部が浮き上がって、拭き残し部と払拭部とが混在してしまうおそれがある。
【０００５】
そこで、この発明は、払拭面の曲率に関係なく、確実な払拭を可能としたワイパーを提供することを目的としている。
【０００６】
【課題を解決するための手段】
前記目的を達成するために、請求項１の発明は、払拭面を払拭可能なる長尺状のリフィルと、該リフィルの保持部に係合した状態で保持可能に形成され且つ該リフィルに弾性を付与する第１バーティブラと、該第１バーティブラの下側に重合され且つ前記払拭面の大きな曲率面の曲率止まり位置に端部が形成されてなる第２バーティブラと、前記リフィルを払拭駆動可能なる駆動部材と、前記駆動部材及び前記第１バーティブラを連結した連結部材とを少なくとも備えてなるワイパーであって、前記第２バーティブラの端部より非重合状態で延在されてなる前記第１バーティブラの押圧部は、前記払拭面の大きな曲率面に追従可能なるように折り曲げ形成されてなり、前記第１バーティブラの一般部には、切り欠きに架橋した第１係合部が形成されてなり且つ該第１バーティブラの端部には、切り欠きに架橋した第２係合部が形成されてなり、前記第２バーティブラには、前記第１バーティブラの第１係合部の切り欠きを介して上側に係合可能な第３係合部が形成されてなり且つ該第１バーティブラの第２係合部の切り欠きを介して上側に係合可能な第４係合部が形成されてなり、前記第１バーティブラの第１係合部の上側に第２バーティブラの第３係合部を係合させ且つ第１バーティブラの第２係合部に第２バーティブラの第４係合部を係止させてなることを特徴とする。
【０００７】
請求項１の発明によれば、前記払拭面の曲率が、他のほとんどの面より大きい面にあっても、平板状の第１バーティブラの押圧部が予め折り曲げられているので、追従することが可能であり、該押圧部は、下弦状に折り曲げられた第２バーティブラに対して非重合状態であるので、払拭面の曲率が小さい場合に円弧状に曲がった状態に固持されることで、よく追従できることになり、どちらの場合も、リフィルの払拭部は、払拭面から離れず、拭き残しが無く、払拭性能が著しく向上する。つまり、第２バーティブラの曲げ寸法、板厚、硬度などを適切に設定することにより、駆動部材からの押圧力や払拭部材のカーブなどに適切に対応できることになる。
【０００８】
請求項２の発明は、請求項１に記載のワイパーであって、前記第１バーティブラには、前記リフィルの保持部を保持可能なる爪が長尺方向に断続的に形成されてなり、前記リフィルには、該爪に長尺方向の端部から係合可能なる溝部が形成されてなることを特徴とする。
【０００９】
請求項２の発明によれば、前記第１バーティブラには、前記リフィルの保持部を保持可能なる爪が長尺方向に断続的に形成されてなり、前記リフィルには、該爪に長尺方向の端部から係合可能なる溝部が形成されてなるので、爪により第１バーティブラと第２バーティブラとの結合体が保持されるから、全体の背が低くなり、ワイパー稼働時におけるローリングが少なくなり、リフィルの耐摩耗性が向上する。
【００１２】
【発明の実施の形態】
以下、図１乃至図５の図面を参照しながら、この発明の一実施形態について具体的に説明する。
【００１３】
符号１は、本発明のワイパーであって、該ワイパー１は、自動車のフロントウインドパネルなどの払拭部材２の払拭面２ａを払拭可能なる払拭部３ａを有する長尺状のリフィル３と、該リフィル３の保持部３ｂに係合した状態で保持可能に形成されてなり且つ該リフィル３と略同一の長尺状に形成されてなる平面状の第１バーティブラ４と、該第１バーティブラ４に係合されてなり且つ該第１バーティブラ４より短尺の第２バーティブラ５と、前記リフィル３を払拭駆動可能なる駆動部材６と、該駆動部材６及び前記第１、第２バーティブラ４，５を連結した連結部材７と、前記第１バーティブラ４に係合され且つ風圧に対して前記リフィル３を払拭面２ａ側に押圧付勢してなる断面形状のカバー８とを少なくとも備えてなる。
【００１４】
前記第１バーティブラ４は、板厚０．６ミリメートルのステンレス板よりなり、全長５５０ミリメートル、全幅１２ミリメートルの長尺状の平板により形成されている。該第１バーティブラ４は、その大部分を占める一般部１０と、その一端部１０ａに形成されてなる押圧部１１とよりなる。前記一般部１０及び前記押圧部１１は、共に平面状に形成されてなる。前記押圧部１１は、前記払拭部材２の払拭面２ａの大きな曲率に相対向する部位に沿うように、前記一般部１０の一端部１０ａから所定の角度θで折り曲げて形成されてなる。前記一般部１０及び押圧部１１それぞれの側面には、幅３ミリメートルの爪１２が複数箇所形成されている。前記第１バーティブラ４の真ん中、すなわち一般部１０には、第１係合部１３が形成され、前記第１バーティブラ４の両端側、すなわち一般部１０の他端部１０ｂ及び押圧部１１の他端部１１ａには、それぞれ第２係合部１４，１４が形成されている。
【００１５】
第２バーティブラ５は、前記第１バーティブラ４の一般部１０より短尺且つ平面状に形成されてなり、下弦の折り曲げ部５ａにより、「への字」状に折り曲げ形成されてなることで、前記第１バーティブラ４を介して前記リフィル３を前記払拭面２ａ側に抑え付ける弾性力を付与する。
【００１６】
前記リフィル３は、前記払拭部３ａと、前記保持部３ｂと、該保持部３ｂ及び前記払拭部３ａの間に形成されてなる頸部３ｃとよりなり、全長は、例えば５５０ミリメートルの長尺状に形成されている。前記保持部３ｂは、図２に示すように、断面正方形に形成されてなる。該保持部３ｂには、上下に離間した位置に二つの第１溝１５及び「溝部」である第２溝１６が形成されてなり、第２の溝１６には、前記第１バーティブラ４の爪１２が係合することで、該第１バーティブラ４、第２バーティブラ５と該リフィル３が一体に重合される。
【００１７】
前記第１係合部１３は、幅方向に６ミリメートル、長尺方向（長手方向）に１０ミリメートル、深さ１．４ミリメートルの位置で、前記第１バーティブラ４の図示しない切り欠きを架橋している。第２係合部１４は、幅方向に６ミリメートル、長尺方向（長手方向）に４ミリメートル、深さ１．４ミリメートルの位置で、前記第１バーティブラ４の図示しない切り欠きを架橋している。
【００１８】
前記第２バーティブラ５の折り曲げ部５ａには、長尺方向に９ミリメートルで、２ミリメートル上側に盛り上がった第３係合部１７が形成されている。この第２バーティブラ５の一端部５ｂには、長尺方向に４ミリメートルで、２ミリメートル上側に盛り上がっると共に６０度の面取り形成されている第４係合部１８が形成されている。
【００１９】
このように構成されたワイパー１の組み立て状況を、次に説明する。まず、第１バーティブラ４と第２バーティブラ５とは、図４に示すように、第１バーティブラ４の下側に第２バーティブラ５を配する様にして、第１バーティブラ４の第１係合部１３の上側に第２バーティブラ５の第３係合部１７を係合させる。次に、第１バーティブラ４の開口を介して第２バーティブラ５の端末を挿入して、第１バーティブラ４の開口を介して第２係合部１４に第２バーティブラ５の第４係合部１８を係止させる。こうすることで、平板状の第１バーティブラ４が、下弦状に折り曲げられた第２バーティブラ５によって、円弧状に曲がった状態に固持される。つまり、第２バーティブラ５の曲げ寸法、板厚、硬度などを適切に設定することにより、駆動部材５からの押圧力や払拭部材２のカーブなどに適切に対応できることになる。そして、第２バーティブラ５の他端部５ｃより迫り出した第１バーティブラ４の押圧部１１が、図４の二点鎖線で示す一様の円弧線１９に対して所定の角度θ’だけ下側に位置している。前記第２バーティブラ５の他端部５ｃの位置は、前記払拭面２ａの大きな曲率面２ｂの曲率止まり位置である。
【００２０】
次に、図４に示すように、第１バーティブラ４と第２バーティブラ５との組上がった状態で、前記第１バーティブラ４の爪１２に、リフィル３の第２溝１６の開放されている他方をあてがい、ずらすことで、第２溝１６と爪１２とが係合される。そして、爪１２が第２溝１６の閉じられた一方まで達すると、前記第１バーティブラ４に係合されている断面Ｌ字形のキャップ２０に突き当たる。このとき、同時に、第２溝１６の図示しない突起を爪１２の自由端部が乗り越えて第２溝１６の凹みに再び係入することで、リフィル３が第１バーティブラ４と第２バーティブラ５との組上がったものから脱落するのを防止できることで、この組み付け作業は終了する。また、リフィル３は、円弧状に曲がった状態に固持される第１バーティブラ４と第２バーティブラ５との組上がったものに保持されるので、リフィル３自体も円弧状になるし、第２バーティブラ５の押圧部１１によって押し下げられた部位に装着されるリフィル３は、大きな曲率状になる。
【００２１】
前記キャップ２０は、図１に示すように、前記カバー８の端部に当接しているが、該カバー８は、図３に示すように、カバー８の脚部８ａを、第１バーティブラ４の切り欠き２１に臨ませて、該切り欠き２１に係入させて支持されている。
【００２２】
前記カバー８は、柔軟性のあるゴムやプラスチックなどを素材としたもので、第１バーティブラ４、第２バーティブラ５を保護するように、該第１バーティブラ４、第２バーティブラ５の上部に前記したように保持されている。該カバー８の断面は、一方が低く、他方が高く、該高い部位には、堤状に形成されていて、走行に伴う風圧などを受けやすい形状に形成されてなり、該風圧によりワイパー１のリフィル３の払拭部３ａが払拭部材２の払拭面２ａから浮き上がらないように工夫されていることで、払拭性が保持されることになる。
【００２３】
以上の構成よりなるワイパー１は、リフィル３の払拭部３ａが劣化した場合、前記第１バーテイブラ４に形成した爪１２にリフィル３の第２溝１６を出し入れさせることで、リフィル３のみを交換することが可能となり、ワイパー１全体を交換しなくてもよいことになる。このことは、資源の有効利用、消費者の費用負担軽減になる。また、リフィル３の仕様によって、雨滴払拭用のリフィルと、雪かき用のリフィルがあるが、かかる交換の場合、リフィル３のみを交換すればよいことになり、ワイパー１全体を交換しなくてもよいことになる。この点も、資源の有効利用、消費者の費用負担軽減になる。また、爪１２により第１バーティブラ４と第２バーティブラ５との結合体が保持されるので、全体の背が低くなり、ワイパー１の稼働時におけるローリングが少なくなり、リフィル３の耐摩耗性が向上する。
【００２４】
また、前記第１バーティブラ４と第２バーティブラ５とが円弧状に曲がって形成されてなるので、そこに支持されたリフィル３が払拭面２ａ側に回転付勢されてなるので、スプリングなど押圧手段のないワイパー１であるにも関わらず、払拭面２ａに面一に押圧できることになる。また、第１バーテイブラ４及び第２バーティブラ５を結合支持してなるので、該第１、第２バーテイブラ４，５を介してリフィル３が連結部材７に確実に支持されてなる。
【００２５】
また、前記第１バーティブラ４と前記第２バーティブラ５とを、中央部を第１係合部１３と第３係合部１７とにより、また、端部を第２係合部１４と第４係合部１８とにより係合させるだけで、両者４，５が結合支持できるので、組立が簡易且つ容易である。
【００２６】
また、前記カバー８により払拭面２ａに対してリフィル３を押しつけることが出来るので、ワイパー１の浮き上がりが防止できるばかりか、装飾的追加が可能である。
【００２７】
特に、前記払拭面２ａの曲率が、一様でなく、例えば、大きな曲率面２ｂの曲率が、他のほとんどの面より大きい面にあっても、第１バーティブラ４の押圧部１１が予め折り曲げられているので、かかる払拭面２ａに追従することが可能であり、該押圧部１１は、第２バーティブラ５に対して非重合状態であるので、払拭面２ａの曲率が小さい場合によく追従できることになり、どちらの場合も、リフィル３の払拭部３ａは、払拭面２ａから離れず、払拭性能が著しく向上する。
【００２８】
【発明の効果】
請求項１の発明によれば、前記払拭面の曲率が、他のほとんどの面より大きい面にあっても、平板状の第１バーティブラの押圧部が予め折り曲げられているので、追従することが可能であり、該押圧部は、下弦状に折り曲げられた第２バーティブラに対して非重合状態であるので、払拭面の曲率が小さい場合に円弧状に曲がった状態に固持されることで、よく追従できることになり、どちらの場合も、リフィルの払拭部は、払拭面から離れず、拭き残しが無く、払拭性能が著しく向上する。つまり、第２バーティブラの曲げ寸法、板厚、硬度などを適切に設定することにより、駆動部材からの押圧力や払拭部材のカーブなどに適切に対応できることになる。
【００２９】
請求項２の発明によれば、前記第１バーティブラには、前記リフィルの保持部を保持可能なる爪が長尺方向に断続的に形成されてなり、前記リフィルには、該爪に長尺方向の端部から係合可能なる溝部が形成されてなるので、爪により第１バーティブラと第２バーティブラとの結合体が保持されるから、全体の背が低くなり、ワイパー稼働時におけるローリングが少なくなり、リフィルの耐摩耗性が向上する。
【図面の簡単な説明】
【図１】この発明にかかるワイパーの一実施形態の斜視図。
【図２】図１のＳＡ−ＳＡ線に沿った拡大断面図。
【図３】図１のＳＢ−ＳＢ線に沿った断面図。
【図４】図１の第１バーティブラと第２バーティブラとの組み立て体にリフィルを組み立てる前の状態における側面図。
【図５】図１の第１バーティブラと第２バーティブラと払拭部材との関係を示す分解側面図。
【符号の説明】
１  ワイパー
２  払拭部材
２ａ  払拭面
３  リフィル
３ａ  リフィルの払拭部
３ｂ  リフィルの保持部
４  第１バーティブラ
５  第２バーティブラ
５ｃ  端部
６  駆動部材
７  連結部材
８  カバー
１１  押圧部
１２  爪
１６  第２溝（溝部）
【図１】
0003590779.tif 000002
【図２】
0003590779.tif 000003
【図３】
0003590779.tif 000004
【図４】
0003590779.tif 000005
【図５】
0003590779.tif 000006